(57)【要約】【課題】本発明は、自分に似合う色を選択するために用いる適色選択用具に関する発明である。【解決手段】本発明は、上記の課題を解決するために、中心から下面に向かい複数のスリットが設けられた複数枚の縦仕切板と中心から上面に向かい複数のスリットが設けられた複数枚の横仕切板を互いのスリットを噛み合わせて一体とした仕切を内部の備えた収納容器と蓋とからなる容器と、一枚の布からなり前記容器の各仕切に収まるように円筒上に巻いた複数枚及び複数色の色布とからなることを特徴とする適色選択用具の構成及び色布に対応した色名テキスト及びチェック表テキスト等を記載した説明用テキストを備えた適色選択用具の構成とした。【選択図】  図１ 
2005315737.tif 000002
【特許請求の範囲】
【請求項１】
中心から下面に向かい複数のスリットが設けられた複数枚の縦仕切板と中心から上面に向かい複数のスリットが設けられた複数枚の横仕切板を互いのスリットを噛み合わせて一体とした仕切を内部の備えた箱と蓋とからなる容器と、一枚の布からなり前記容器の各仕切に収まるように円筒上に巻いた複数枚及び複数色の色布とからなることを特徴とする
適色選択用具。
【請求項２】
色名テキスト及びチェック表テキスト等を記載した説明用テキストを備えたことを特徴とする請求項１に記載の適色選択用具。
【発明の詳細な説明】
【技術分野】
【０００１】
本発明は、自分に似合う色を選択するために用いる適色選択用具に関する発明である。
【背景技術】
【０００２】
従来、自分に似合う服の色を選ぶ際は、被服を販売している洋品店において試着をし、自分に似合う色の被服であるかを判断していた。
【０００３】
しかしながら、従来の被服の色の選び方では、沢山の色の服から選ぶ時、色々な服を着たり脱いだりと繰り返さなければならず、髪型をセットした後や化粧をした後などは特に面倒で時間のかかるものであった。
【発明の開示】
【発明が解決しようとする課題】
【０００４】
そこで、本発明は試着する代わりに複数色の色布から色を選び胸元に充てるだけで自分に似合う色を見つけることができる似合う色を選択するための適色選択用具を提供することを目的とするものである。
【課題を解決するための手段】
【０００５】
本発明は、上記の課題を解決するために、中心から下面に向かい複数のスリット３ｆが設けられた複数枚の縦仕切板３ｂと中心から上面に向かい複数のスリット３ｅが設けられた複数枚の横仕切板３ｃを互いのスリット３ｅ、３ｆを噛み合わせて一体とした仕切を内部の備えた箱３ａと蓋３ｄとからなる容器３と、一枚の布からなり前記容器の各仕切に収まるように円筒上に巻いた複数枚及び複数色の色布２、２、２・・とからなることを特徴とする似合う色を選択するための適色選択用具１の構成及び色布２、２、２・・・に対応した色名テキスト８及びチェック表テキスト９等を記載した説明用テキスト７を備えたことを特徴する適色選択用具１の構成とした。
【発明の効果】
【０００６】
本発明である適色選択用具を使用することで色を選ぶために行っていた試着をする手間が省くことができ、また、髪をセットした後や化粧をした後でも色を選ぶことができる。
【発明を実施するための最良の形態】
【０００７】
本願発明である適色選択用具１は、自分に似合う色の被服等を選ぶ際の試着の煩わしさを無くし、簡単に似合う色を選択することができるという目的を本適色選択用具１を使用することで実現した。
【実施例１】
【０００８】
図１は本発明である似合う色を選択するための適色選択用具の斜視図、図２は収納容器の分解斜視図、図３は本願発明である適色選択用具の斜視図である。図１に示すように、本発明である適色選択用具１は、複数色かつ複数枚の色布２、２、２・・・と透明の容器３とからなる。勿論、容器３は、半透明であっても良い。また、透明でなくても良い。更に、収納容器３ａは透明ではなく、蓋３ｄのみを透明としてもよい。
【０００９】
図２に示すように、色布２ね２、２・・・・を入れる容器３は、上面が開口した収納容器３ａと、複数枚の縦仕切板３ｂ、３ｂ、３ｂ・・と複数枚の横仕切板３ｃ、３ｃ、３ｃ・・と蓋３ｄとからなる。縦仕切板３ｂ、３ｂ、３ｂ・・は一枚の透明の板からなり板の横方向の中心線より下方に向かって複数本のスリット３ｆ、３ｆ、３ｆが等間隔かつ平行に設けられている。
【００１０】
また、縦仕切板３ｂ、３ｂ、３ｂ・・と同様に、横仕切板３ｃ、３ｃ、３ｃ・・も一枚の板からなり、横仕切板の横方向の中心線より上方に向かって複数本のスリット３ｅ、３ｅ、３ｅが等間隔かつ平行に設けられている。
【００１１】
縦仕切板３ｂ、３ｂ、３ｂ・・及び横仕切板３ｃ、３ｃ、３ｃ・・は互いのスリット３ｅ、３ｅ、３ｅ・・・、３ｆ、３ｆ、３ｆ・・・を噛み合わせて一体となっており、収納容器３ａ内に備えられることによって、収納容器３ａを複数の部屋に分けている。
【００１２】
図３に示すように、収納容器３ａ内で一体となった縦仕切板３ｂ、３ｂ、３ｂ・・及び横仕切板３ｃ、３ｃ、３ｃ・・により複数に分けられた部屋には、複数色の色布２、２、２・・・が円筒状に巻かれて収納されている。
【００１３】
図４は、本発明である似合う色を選択するための適色選択用具を使用している状態を示した図である。図４に示すように、似合う色を選ぶためにはまず、対象となる人間４の胸元を白い布４ａで覆う。
【００１４】
テーブル６の上には本発明である似合う色を選択するための適色選択用具１の色布２、２、２・・・を色の系統が同じものが並ぶように広げておく。その時に着たい色及びその系統の色を複数枚選び、白い布４ａで覆った胸元に乗せ似合う色を判断してゆく。
尚、符号５は鏡を示している。
【００１５】
使用する際、色布２、２、２・・・をテーブル６の上に広げてから１つ１つ胸元にあてて試したが、色布２、２、２・・・は容器３に収納される際、上から見ても分かるように収納されているため、色布２、２、２・・・を取り出しながら試すことも可能である。
【００１６】
図５は本発明である似合う色を選択するための色布の斜視図、図６及び図７は本発明である似合う色を選択するための適色選択用具に付属しているテキストの内容を示した図である。
【００１７】
図５に示すように、本発明である似合う色を選択するための適色選択用具１には、説明用テキスト７が付属している。説明用テキスト７の内容は、図６および図７に示した。
【００１８】
図６に示すように、説明用テキスト７の中には色名テキスト８がある。色名テキスト８では、色布２、２、２・・・の色の種類を項目毎に分類し表組８ａとして表している。まずタイトル８ｂを色名の表組８ａの欄外上に設け、上横一列をベーシックカラーの種類８ｃとした。
【００１９】
また左端の縦一列をシーズンタイプ８ｄとして四季にわけ、下横一列を色のグループ８ｅとして、それぞれの項目が交差する欄に色布２の該当する色を表した。
【００２０】
図７に示すように、説明用テキスト７にはチェック表テキスト９のページが設けられており、色布２を使用して似合う色を探す際に便利である。
【００２１】
チェック表テキスト９は、色名テキスト８と基本枠は同じである。即ち、表組９ａの上横一列をベーシックカラー９ｅとし、左端の縦一列をシーズンタイプ９ｆとして四季にわけ、下横一列を色のグループ９ｇとした。それ以外の欄は、図７に示すように空白とした。
【００２２】
使用方法は、色名テキスト８の各色に対応したドレープ２を図４に示したように胸元にあて、利用する人間４に合うかどうかを判断し、その結果をチェック表テキスト９の対応する空欄に書き込むという方法である。
【００２３】
空欄に書き込む方法としては、チェック表テキスト９の右上に記載されている説明文９ｄのように「大変よく似合う」場合は二重丸印、「よく似合う」場合は丸印、「どちらともいえない」場合は三角印、「似合わない」場合はバツ印を色名テキスト８の各色が対応するチェック表テキスト９の空欄に記載すればよい。４つの印を使用することで、その人に似合う色の傾向がわかりやすい。
【００２４】
尚、チェック表テキスト９の表組９ａの上にはタイトル９ｂ、左上にはチェックをする日付やチェックをする人とチェックされる人の名前を記載する記入欄９ｃが記載されている。
【００２５】
以上のように本発明出る似合う色を選択するために用いる適色選択用具１を自分の似合う色を選択するために使用する以外にも色と色の組合せを試すことに利用することもできるため色のコーディネートの練習に使用することができる。また、部屋の色彩を決定する場合にも使用できるとともに、テーブルの色彩を決定する際にも使用することができるものである。
【００２６】
また、色布２，２、２、２、２・・・・・を収納する容器３の形状は、各図面１に示した四角柱状であってもよく、また円筒状の容器であってもよい。更に、五角柱状、六角柱状、七角柱状等の柱状形状であっても良い。
【図面の簡単な説明】
【００２７】
【図１】本発明である適色選択用具の斜視図である。
【図２】本発明である適色選択用具の収納容器の分解斜視図である。
【図３】本発明である適色選択用具の斜視図である。
【図４】本発明である適色選択用具を使用している状態を示した図である。
【図５】本発明である適色選択用具の斜視図である。
【図６】本発明である適色選択用具に付属しているテキストの内容を示した図である。
【図７】本発明である適色選択用具に付属しているテキストの内容を示した図である。
【符号の説明】
【００２８】
１      適色選択用具
２      色布
３      容器
３ａ    収納容器
３ｂ    縦仕切板
３ｃ    横仕切板
３ｄ    蓋
３ｅ    スリット
３ｆ    スリット
４      人間
４ａ    布
５      鏡
６      テーブル
７      説明用テキスト
８      色名テキスト
８ａ    表組
８ｂ    タイトル
８ｃ    ベーシックカラー
８ｄ    シーズンタイプ
８ｅ    色のグループ
９      チェック表テキスト
９ａ    表組
９ｂ    タイトル
９ｃ    記入欄
９ｄ    説明文
９ｅ    ベーシックカラー
９ｆ    シーズンタイプ
９ｇ    色のグループ
【図１】
2005315737.tif 000003
【図２】
2005315737.tif 000004
【図３】
2005315737.tif 000005
【図４】
2005315737.tif 000006
【図５】
2005315737.tif 000007
【図６】
2005315737.tif 000008
【図７】
2005315737.tif 000009